(57)【要約】【課題】核医学検査装置の稼働率を容易に向上させることができ、待ち時間を検査ごとに一定化することができ、変更に伴う再スケジューリングが容易にできる核医学検査装置の検査スケジュール作成プログラムを提供する。【解決手段】患者ごとに検査の内容および検査順序の情報が指示されると、それらの内容に応じて患者ごとに必要な投薬ＩＪと検査ＴＤ／ＥＤが決まるので、投薬ＩＪから検査ＴＤ／ＥＤまでの待ち時間３９〜４２が検査種別ごとに一定に維持した状態で、検査順序に応じた投薬ＩＪのタイミングと検査ＴＤ／ＥＤとが時間的に重複することのないようにスケジュールを決定する。これにより、ポジトロンＣＴ装置の稼働率を容易に向上させることができるとともに、待ち時間を検査ごとに一定化することができる。【選択図】　　　　図７
2004102869.tif 000002
【特許請求の範囲】
【請求項１】
核医学検査装置による検査と、この検査に付随する投薬とを含む患者ごとのスケジュールをコンピュータに作成させるための核医学検査装置の検査スケジュール作成プログラムであって、指示された患者ごとの検査の内容および検査順序の情報を取り込む過程と、検査種別に応じて患者ごとに設定された投薬から検査までの待ち時間を一定に維持した状態で前記検査の内容および前記検査順序の情報に応じた投薬のタイミングと検査とが時間的に重複することを回避するように検査スケジュールを作成する過程とを前記コンピュータに実行させることを特徴とする核医学検査装置の検査スケジュール作成プログラム。
【請求項２】
請求項１に記載の核医学検査装置の検査スケジュール作成プログラムにおいて、患者ごとのスケジュールが検査種別に応じた時間幅を有する図形で表されているとともに、前記図形に、投薬のタイミングと、待ち時間と、検査内容とが表されていることを特徴とする核医学検査装置の検査スケジュール作成プログラム。
【請求項３】
請求項１または２に記載の核医学検査装置の検査スケジュール作成プログラムにおいて、前記患者ごとのスケジュールが図形によってタイムチャート上に表示され、かつ、現在時刻を表すラインがタイムチャート上を時間経過に応じて移動表示されることを特徴とする核医学検査装置の検査スケジュール作成プログラム。
【請求項４】
請求項１から３のいずれかに記載の核医学検査装置の検査スケジュール作成プログラムにおいて、タイムチャート上の前記図形をポインティンデバイスで移動させることにより、スケジュールを変更することを特徴とする核医学検査装置の検査スケジュール作成プログラム。
【請求項５】
請求項１から４のいずれかに記載の核医学検査装置の検査スケジュール作成プログラムにおいて、前記患者ごとのスケジュールを管理するとともに、実際の投薬・検査時刻を含む実測値と、核医学検査装置による収集データとを対応付けることを特徴とする核医学検査装置の検査スケジュール作成プログラム。
【請求項６】
請求項１から５のいずれかに記載の核医学検査装置の検査スケジュール作成プログラムにおいて、実際の投薬時刻を入力する過程と、スケジュールされた投薬時刻と前記実際の投薬時刻とを比較する過程と、前記比較結果が不一致である場合には、検査スケジュールを再度作成し直す過程とを行うことを特徴とする核医学検査装置の検査スケジュール作成プログラム。
【発明の詳細な説明】
【０００１】
【発明の属する技術分野】
この発明は、患者内に分布するポジトロン放出性ＲＩ（ラジオアイソトープ）の分布画像を撮影するポジトロンＣＴ装置やガンマカメラなどの核医学検査装置を用いた医療検査のスケジュールを作成するための核医学検査装置の検査スケジュール作成プログラムに関する。
【０００２】
【従来の技術】
核医学検査装置の一つであるポジトロンＣＴ装置を使った検査においては、エミッションデータ収集検査の一定時間前（例えば、１時間前）に患者に対してポジトロン放出性ＲＩを含んだブドウ糖などを注入して投薬する必要がある。これは、関心部位の組織内に存在するおそれのあるガン細胞等に対して、ポジトロン放出性ＲＩが分布されるまでにある程度の時間を要するからである。つまり、投薬からエミッションデータ収集検査までには一定時間の待ち時間を要する。
【０００３】
したがって、例えば、複数の患者に対してポジトロンＣＴ装置を使った検査を行う場合には、その人数分のストップウォッチを用意しておき、各検査におけるポジトロンＣＴ装置の占有時間を考慮し、時間的に重複しないように紙に記入するとともに、待ち時間から逆算して各患者への投薬時刻を決め、これらを紙のノートに記入している。
【０００４】
【発明が解決しようとする課題】
しかしながら、このような従来例の場合には、次のような問題がある。
すなわち、従来手法では、かなりの余裕をもってスケジューリングする必要があって細かいスケジューリングが不可能であるので、ポジトロンＣＴ装置の稼働率を簡単には向上させることができないという問題がある。
【０００５】
特に、複数の患者がそれぞれ異なる検査である場合、例えば、ある患者は、トランスミッションデータ収集検査とエミッションデータ収集検査とを別に行い、ある患者はトランスミッションデータ収集とエミッションデータ収集検査とを同時に行うこともある。このような場合には、前者ではトランスミッションデータ収集検査後に投薬を行い、一定の待ち時間後にエミッションデータ収集検査を行う。後者では、先に投薬を行い、一定の待ち時間後にトランスミッション・エミッションデータ収集検査を行う。
【０００６】
したがって、複数の検査間における時間関係が分かり辛く、次の検査の患者への投薬時刻を知るためには、逐次その時点で実行中の検査の終了予定時刻から次の検査の開始時刻を求め、さらにそれから待ち時間を逆算して割り出す必要がある。このように、投薬時刻を知る作業が極めて煩雑であるので、その時刻を間違うおそれが高く、待ち時間を検査ごとに一定化することが実質上困難となっている。
【０００７】
さらに、複数の検査のいずれかに変更が生じた場合に、どの検査に対して影響があり、その時間的な変更がどの程度であるのかを判別しづらいという問題がある。このような問題は、時間、時刻の記録忘れ、検査の開始忘れ、投薬のタイミング外し等、時間管理に伴うミスの発生を招き易い。
【０００８】
また、検査における時間管理が適切に行われているか否かを判断するためには、検査結果とは別に管理され、紙に記載されている時間記録を参照する必要があり、非常に煩わしいという問題もある。
【０００９】
この発明は、このような事情に鑑みてなされたものであって、患者ごとの検査の内容および検査順序の情報に応じた投薬のタイミングと検査との時間的重複を避け、同時に検査種別に応じて待ち時間を一定化するスケジューリングにより、核医学検査装置の稼働率を容易に向上させることができ、検査の種別に応じて設定された待ち時間を一定に維持した状態で、変更に伴う再スケジューリングが容易にできる核医学検査装置の検査スケジュール作成プログラムを提供することを目的とする。
【００１０】
【課題を解決するための手段】
この発明は、このような目的を達成するために、次のような構成をとる。
【００１１】
すなわち、請求項１に記載の発明は、核医学検査装置による検査と、この検査に付随する投薬とを含む患者ごとのスケジュールをコンピュータに作成させるための核医学検査装置の検査スケジュール作成プログラムであって、指示された患者ごとの検査の内容および検査順序の情報を取り込む過程と、検査種別に応じて患者ごとに設定された投薬から検査までの待ち時間を一定に維持した状態で前記検査の内容および前記検査順序の情報に応じた投薬のタイミングと検査とが時間的に重複することを回避するように検査スケジュールを作成する過程とを前記コンピュータに実行させることを特徴とするものである。
【００１２】
（作用・効果）患者ごとに検査の内容および検査順序の情報が指示されると、それらの内容に応じて患者ごとに必要な投薬と検査が決まるので、それらを取り込み、検査種別に応じて患者ごとに設定された投薬から検査までの待ち時間を一定に維持した状態で、検査の内容および検査順序の情報に応じた投薬のタイミングと検査とが時間的に重複することを回避するようにスケジュールを決定する。これにより、核医学検査装置の稼働率を容易に向上させることができるとともに、待ち時間を検査ごとに一定化することができる。
【００１３】
また、請求項２に記載の発明は、請求項１に記載の核医学検査装置の検査スケジュール作成プログラムにおいて、患者ごとのスケジュールが検査種別に応じた時間幅を有する図形で表されているとともに、前記図形に、投薬のタイミングと、待ち時間と、検査内容とが表されていることを特徴とするものである。
【００１４】
（作用・効果）図形の並びを見るだけで、スケジュールの状態を直感的に把握することができるので、変更に伴う再スケジューリングが容易にできる。
【００１５】
また、請求項３に記載の発明は、請求項１または２に記載の核医学検査装置の検査スケジュール作成プログラムにおいて、前記患者ごとのスケジュールが図形によってタイムチャート上に表示され、かつ、現在時刻を表すラインがタイムチャート上を時間経過に応じて移動表示されることを特徴とするものである。
【００１６】
（作用・効果）投薬や検査との現在時刻との時間的関係がリアルタイムで表示されるので、次に行う作業をわかりやすく表示することができる。
【００１７】
また、請求項４に記載の発明は、請求項１から３のいずれかに記載の核医学検査装置の検査スケジュール作成プログラムにおいて、タイムチャート上の前記図形をポインティンデバイスで移動させることにより、スケジュールを変更するものである。
【００１８】
（作用・効果）スケジュール全体の状態を確認しつつ、直感的に患者ごとにスケジュールを容易に変更することができる。
【００１９】
また、請求項５に記載の発明は、請求項１から４のいずれかに記載の核医学検査装置の検査スケジュール作成プログラムにおいて、前記患者ごとのスケジュールを管理するとともに、実際の投薬・検査時刻を含む実測値と、核医学検査装置による収集データとを対応付けることを特徴とするものである。
【００２０】
（作用・効果）実際の投薬・検査時刻を含む実測値と、収集データとを対応付けることにより、スケジュールからのズレを知ることができるので、検査における時間管理の適切さを容易に判断することができる。
【００２１】
また、請求項６に記載の発明は、請求項１から５のいずれかに記載の核医学検査装置の検査スケジュール作成プログラムにおいて、実際の投薬時刻を入力する過程と、スケジュールされた投薬時刻と前記実際の投薬時刻とを比較する過程と、前記比較結果が不一致である場合には、検査スケジュールを再度作成し直す過程とを行うことを特徴とするものである。
【００２２】
（作用・効果）投薬は人間が行う作業あるいは人間に対して行う作業であるので、スケジュールと実際の投薬時刻がずれる場合がある。例えば、薬液の準備が遅れた場合や、投薬する予定の時刻に患者が来院していなかった場合等がある。このような状況を、実際の投薬時刻とスケジュールされた投薬時刻とを比較することで判断し、一致していない場合にはスケジューリングを再度実施する。これにより、それ以降のスケジュールを自動的に変更することができ、それ以降の検査等が忙しくなるようなことを防止できる。
【００２３】
【発明の実施の形態】
以下、図面を参照してこの発明の一実施例を説明する。
図１及び図２はこの発明の一実施例に係り、図１は実施例に係るポジトロンＣＴ装置の概略構成を示すブロック図であり、図２はポジトロンＣＴ装置の検査スケジュール作成プログラムにおける各機能の関連を示す模式図である。
【００２４】
中央部に開口を有するガントリ１は、放射線検出器をリング状に配列してなるリング型検出器を有するマルチリング型検出器３を備えている。これは、例えば、６層分のリング型検出器を、ガントリ１の開口に沿った軸方向に積層されて構成されている。各リング型検出器は、検出器中心間の間隔が一定間隔となるように積層されている。
【００２５】
ガントリ１の正面側には、ガントリ１の開口に進退可能なベッド５と、このベッド５を図中の二点鎖線矢印方向に進退駆動するベッド移動装置７とが配備されている。ベッド５の進退駆動は、ガントリ１の開口中心に合わせられた体軸ＭＰに沿って移動制御部９により制御される。
【００２６】
データ収集部１１は、ベッド５がマルチリング型検出器３に対して移動される際に、ベッド５の各位置における同時計数データ（エミッションデータ／トランスミッションデータ）を収集する。
【００２７】
この実施例におけるポジトロンＣＴ装置は、エミッションデータとトランスミッションデータとを同時に収集したり、これらを個別に収集したりすることができるように構成されている。
【００２８】
エミッションデータとトランスミッションデータとを別個に収集する場合には、被検体Ｍへのポジトロン放射性ＲＩ（ラジオアイソトープ）の投薬の前に、まずガントリ１に付設された図示しない外部線源から強い放射線を放射しながらデータを収集する。次いで、外部線源からの放射を停止した状態でエミッションデータを収集する。エミッションデータには被検体Ｍによる吸収の影響が生じているので、これを補正するための吸収補正データをトランスミッションデータから求めるのである。エミッションデータとトランスミッションデータとを同時に収集する場合には、ポジトロン放射線ＲＩを被検体Ｍに投薬した後、図示しない外部線源から強い放射線を放射しながらトランスミッションデータとエミッションデータとを同時に収集する。
【００２９】
コンピュータに相当する処理部１３はメモリやＣＰＵ等を備え、上述した移動制御部９とデータ収集部１１を制御するとともに、後述するポジトロンＣＴ装置の検査スケジュール作成プログラムを実行する。また、時計機能を備えており、後述するように現在時刻に応じた表示をスケジュール上にて行うことができる。検査スケジュール作成プログラムを構成するファイルの内容や各機能は、ＣＲＴや液晶表示装置等で構成されている表示部１５に表示される。また、患者ごとの検査等の指示は、ポインティングデバイスの一例であるマウス１７や、キーボード１９を介して行われる。
【００３０】
ポジトロンＣＴ装置の検査スケジュール作成プログラムにおける各機能は、例えば、図２に示すように関連している。
【００３１】
『収集時に常時用いる機能２１』は、機能呼出Ｘと、本日スケジュールＡと、収集パネルＰを備えている。「機能呼出Ｘ」は、投薬の分量等を計算する機能である分注量計算Ｌや、後述する検査スケジュール表示／編集Ｆを呼び出す。「本日スケジュールＡ」は、今日の検査スケジュールを表示する。「収集パネルＰ」は、患者ごとに関連付けられ、本日スケジュールＡに付随する。本日スケジュールＡには、ポジトロンＣＴ装置の校正を行ったときのデータを記憶しているキャリブレーションＭと関連付けられている。
【００３２】
『検査予約に用いる機能２３』は、検査の検索Ｅと、検査スケジュール表示／編集Ｆと、特定日の検査スケジュール表示／編集Ｇを備えている。「検査の検索Ｅ」は、検査スケジュールを種々のキーワードによって検索するものである。「検査スケジュール表示／編集Ｆ」は、週または月ごとの検査スケジュールを表示したり編集したりする機能である。「特定日の検査スケジュール表示／編集Ｇ」は、検査スケジュール表示／編集Ｆによって編集された検査スケジュールのうち特定日だけを表示・編集する機能を有する。これらの検査スケジュール表示／編集Ｆと、検査の検索Ｅと、特定日の検査スケジュール表示／編集Ｇはそれぞれ関連付けられている。
【００３３】
『患者に関連する機能２５』は、患者情報Ｈと、スタディ・シリーズ情報Ｊと、実測値Ｎと、検査結果Ｏとを備える。「患者情報Ｈ」は、患者リストＫの患者ごとに対応付けられている患者に関する情報を入力したり編集したりする機能である。「スタディ・シリーズ情報Ｊ」は、検査内容のほぼ全てを設定することができる機能を有し、そのうちのパラメータについてはパラメータ詳細情報Ｑに記憶されている。「実測値Ｎ」は、スケジュールとは別に、実際に投薬が行われた時刻等をタイムスタンプとして記憶するものである。「検査結果Ｏ」は、患者ごとに収集したトランスミッション／エミッションデータや、これらに基づく再構成画像を記憶する。患者情報Ｈと、スタディ・シリーズ情報Ｊと、実測値Ｎと、検査結果Ｏとは、患者ごとに関連づけられている。
【００３４】
図３から図６を参照する。なお、図３は予約カレンダーの内容をウィークビューで表示した状態を示す図であり、図４は患者情報ファイルの患者情報の内容を表示した状態を示す図であり、図５は患者情報ファイルのスタディ・シリーズ情報の内容を表示した状態を示す図であり、図６は患者情報ファイルのスタディ・シリーズ情報に付随するパラメータ詳細設定情報の内容を表示した状態を示す図である。
【００３５】
図３に示すように、機能呼出Ｘによって検査スケジュール表示／編集Ｆを呼び出した場合には、予約カレンダー２７が表示部１５に表示される。予約カレンダー２７では、検査スケジュール表示／編集Ｆに基づいて月週日選択領域Ｒ１にてオペレータがマウス１７やキーボード１９で指示した月週日におけるスケジュールを表示または編集する。選択された月週日におけるスケジュールが存在する場合には、患者名とともにスケジュール表示領域Ｒ２に表示される。スケジュールの新規予約の作成や削除等の編集指示は、編集領域Ｒ３を指示することによって行われる。
【００３６】
予約カレンダー２７においてスケジュール表示領域Ｒ２の特定患者名を選択した場合には、図４に示すように患者情報Ｈおよびスタディ・シリーズ情報Ｊに基づくインフォメーション２９が表示される。患者領域２９ａには、患者名および患者ＩＤが確認的に表示される。患者タブ２９ｂが選択されている場合には、患者名と、患者ＩＤと、生年月日と、年齢等の患者情報が表示／編集可能な状態となる。オペレータは、マウス１７で所望の箇所を指示し、キーボード１９で患者に関する情報を入力・編集する。
【００３７】
インフォメーション２９において検査タブ２９ｃを指示した場合には、図５に示すようにスタディ・シリーズ情報Ｊに基づく情報が表示される。検査タブ２９ｃが選択されている場合には、頭部や心臓等の部位と、核種と、投薬の量と、２Ｄあるいは３Ｄの収集モードと、トランスミッションデータとエミッションデータを同時に測定するか別個に測定するかを指示する収集と、プロトコル名と、患者の向きと、画像の向き等を設定可能になっている。ここでは、これらの値が異なる場合には異なる検査種別を表すものとする。また、投薬から検査開始までの待ち時間が一定になるように、検査種別ごとに待ち時間を待ち時間設定部２９ｄに設定するようになっている。
【００３８】
プロトコル名をドロップダウンリストから選択または新規作成する場合には、図６に示すように、パラメータ詳細情報Ｑに基づくパラメータ詳細設定３１が表示される。これは、上述したインフォメーション２９における検査タブ２９ｃの情報のうちの重要なパラメータを予め名称を付けてセットで設定するものである。
【００３９】
次に、ポジトロンＣＴ装置の作成プログラムにおける検査予約操作について説明する。
まず、オペレータは、機能呼出Ｘから検査スケジュール表示／編集Ｆを選択する。すると、図３に示す予約カレンダー２７が表示部１５に表示される。この状態で、所望の月日に検査順序に応じて患者名等を入力する。このとき図４に示すインフォメーション２９が表示されるので、患者に応じた検査を指示する。
【００４０】
次に、前記所望の月日における患者等の入力が完了し、スケジュール作成の開始を指示する。すると処理部１３は、検査スケジュール表示／編集Ｆと、患者情報Ｈと、スタディ・シリーズ情報Ｊ等を参照し、前記所望の月日におけるスケジュールを作成する。その作成は、以下のように行われる。
【００４１】
ここでは、図７に示すように、患者Ｍ１〜Ｍ４までの四人の患者がその順序で検査することが指示され、かつ患者Ｍ１はトランスミッション・データとエミッション・データが別個に収集され、患者Ｍ２〜Ｍ４はそれらが同時に収集されるように指示されたものとする。なお、図７は、指示された患者ごとの検査および検査順序でスケジューリングが行われる様子を示す模式図である。
【００４２】
ここで符号ＦＧは、指示された患者の検査種別に応じた時間幅を有する図形である。なお、患者Ｍ１〜Ｍ４はそれぞれ検査種別が異なり、それらの時間幅３３はそれぞれ図形ＦＧの時間幅３５〜３８と、待ち時間３９〜４２とがそれぞれ異なるものとする。患者Ｍ１〜Ｍ４に対応付けられたインフォメーション２９（Ｊ）やパラメータ詳細設定３１（Ｑ）により、各図形ＦＧの時間幅３５〜３８が決まるとともに、各図形ＦＧ内におけるトランスミッションデータＴＤの収集タイミングと、投薬ＩＪのタイミングと、検査種別ごとに設定された待ち時間３９〜４２と、エミッションデータＥＤの収集タイミングが決まる。
【００４３】
そして、処理部１３は、各図形ＦＧにおける検査、つまりトランスミッションデータＴＤの収集タイミングと、エミッションデータＥＤの収集タイミングとが時間的に重複しないように配置してゆく。また、その際に、待ち時間３９〜４２が患者ごとに変動しないように、換言すると、検査種別に応じて患者ごとに設定された待ち時間を一定に維持した状態で、検査の内容および検査順序の情報に応じた投薬のタイミングと検査とが時間的に重複することを回避するようにする。つまり、待ち時間を一定に維持した状態で、重複しないように配置してゆく。したがって、待ち時間を伸縮してまで重複を回避して配置するようなスケジューリングは行わない。
【００４４】
上記の条件を満たすように、患者Ｍ１〜Ｍ４の順序で検査を行う場合のスケジュールは、例えば、図７に示すようになる。
すなわち、患者Ｍ１は、トランスミッション・データＴＤの収集が時刻ｔ１〜ｔ２の間に行われ、その後、投薬ＩＪが時刻ｔ３において行われる。そして、時刻ｔ３〜ｔ６の待ち時間３９の後、時刻ｔ７〜ｔ９の間にエミッション・データＥＤの収集が行われる。また、患者Ｍ２は、投薬ＩＪが時刻ｔ５において行われ、時刻ｔ５〜ｔ１０の待ち時間４０の後、トランスミッション・データＴＤとエミッション・データＥＤの収集が時刻ｔ１０〜ｔ１１にわたって行われる。患者Ｍ３，Ｍ４については、上記患者Ｍ２と同様に行われ、その結果、スケジュールの対象としてオペレータによって指示された患者Ｍ１〜Ｍ４について、投薬ＩＪ後の待ち時間が検査種別ごとに一定に維持した状態で、検査と投薬のタイミングとが時間的に重複しないように配置される。
【００４５】
このように、検査種別に応じて患者ごとに設定された投薬から検査までの待ち時間を一定に維持した状態で、検査の内容および検査順序の情報に応じた投薬のタイミングと検査とが時間的に重複することを回避するようにスケジュールを決定することにより、ポジトロンＣＴ装置の稼働率を容易に向上させることができるとともに、待ち時間を検査ごとに一定化することができる。また、図形ＦＧの並びを見るだけで、スケジュールの状態を直感的に把握することができるので、変更に伴う再スケジューリングが容易にできる。
【００４６】
ところで、図７中において、符号４３で例示しているのは余裕時間である。この余裕時間４３は、ポジトロンＣＴ装置のベッド５に横たわる被検体Ｍを瞬時に入れ替えることはできないので、入れ替えにかかる時間を考慮して設けてある。したがって、上述したスケジューリングにおいて、処理部１３は時間的な幅がその分広がっている図形ＦＧの配置を行うことになる。
【００４７】
処理部１３が上記のようにスケジューリングを完了すると、予約カレンダー２７は、例えば、図８に示すように表示される。つまり、そのスケジュール表示領域Ｒ２には、上記のスケジューリング結果に基づいて患者ごとに図形ＦＧが表示される。なお、図８は、予約カレンダーの内容をデイビューで表示した状態を示す図である。
【００４８】
オペレータは、スケジュール表示領域Ｒ２を確認するが、その変更が必要になった場合は、図９に示すようにして簡単に変更が可能である。なお、図９は予約カレンダーをデイビューで表示した状態において、予定を変更する様子を示す模式図である。
【００４９】
例えば、患者の来院予定時刻の関係で、スケジューリングされたタイミングで投薬することができない場合を例に採って説明する。この場合、まず、オペレータは、マウス１７を操作して変更したい患者の図形ＦＧにカーソルＣＳを移動し、その投薬ＩＪを患者の来院時刻より後の適宜の時刻にドラッグする（図９（ａ））。すると、処理部１３は、ドラッグされた位置において上述したスケジューリングを上記の患者についてのみ再度行って、重複がなければその位置に図形ＦＧを表示する（図９（ｂ））。なお、ドラッグによる位置に問題がある場合には、その位置を避けた良好な位置に他の検査を自動的にずらして配置するようにしてもよいし、この他に、ドラッグにより配置した検査を優先し、その配置の障害となる検査自体を移動させるようにしてもよい。上記の機能により、スケジュール全体の状態を確認しつつ、直感的に患者ごとにスケジュールを容易に変更することができる。
【００５０】
次に、図１０を参照して上記のようにして予めスケジューリングした日における動作について説明する。なお、図１０は、予約カレンダーのデイビュー表示において、現在時刻が移動することを説明する図である。
【００５１】
オペレータが機能呼出Ｘから本日スケジュールＡを指示すると、検査スケジュール表示／編集Ｆ、患者情報Ｈ等に基づき、処理部１５が本日スケジュールＡを表示部１５に表示する。処理部１３は、内部に時計機能を備えており、現在時刻に応じて現在時刻ラインＰＴ（図中の二点鎖線）を本日スケジュールＡに重ね合わせ表示させる。この現在時刻ラインＰＴは、時間の経過に応じて移動するように表示される。したがって、投薬のタイミングや検査タイミングが表されている図形ＦＧとの時間的位置関係から、次に何をするべきかが容易にわかる。
【００５２】
ところで投薬等は、人間が行うことであるので、スケジュール通りに確実に実施されない場合がある。その点を考慮して、実際に投薬を行ったり、後述するように検査を開始したりした時点における時刻の実測値を記録することが好ましい。その実測値は、図示しない表示部１５に表示されたタイムスタンプボタンをマウス１７で指示すること等により、処理部１３によって実測値Ｎに自動的にその時刻が記録される。また、キーボード１９等からタイムスタンプを記憶するように指示してもよい。
【００５３】
なお、実際の投薬時刻がスケジュールされたものと異なる場合には、それ以降のスケジュールを変更することが好ましい。
【００５４】
具体的には、実際の投薬時刻を入力する過程と、スケジュールされた投薬時刻と前記実際の投薬時刻とを比較する過程と、前記比較結果が不一致である場合には、検査スケジュールを再度作成し直す過程とを行う。上述したように、投薬は人間が行う作業あるいは人間に対して行う作業であるので、スケジュール通りには実施できず、スケジュールと実際の投薬時刻がずれる場合がある。例えば、薬液の準備が遅れた場合や、投薬する予定の時刻に患者が来院していなかった場合等がある。
【００５５】
そこで、このような状況を、実際の投薬時刻とスケジュールされた投薬時刻とを比較することで判断し、その結果が一致していない場合にはスケジューリングを再び行うようにする。これにより、それ以降のスケジュールを自動的に変更することができ、それ以降の検査等が忙しくなるようなことを防止できる。
【００５６】
スケジュールに従って投薬が行われ、いずれかの待ち時間３５〜３８が経過すると、ポジトロンＣＴ装置による検査を開始する。それらの各々の経過前には、例えば、図１１に示すような収集パネルＰが表示部１５に表示され、この中にはスケジューリングされたエミッションデータ／トランスミッションデータの収集開始時刻（検査時刻）である収集開始予定時刻４４が表示される。この表示中の開始ボタン４５をマウス１７で指示することにより、ポジトロンＣＴ装置による検査が開始されるとともにデータ収集が行われる。収集されたデータは、検査結果Ｏとして患者に関連付けて記憶されるとともに、実測値Ｎに自動的に検査時刻が対応付けて記憶される。また、検査結果Ｏに基づいてＲＩ分布像が再構成された場合には、そのデータも検査結果Ｏに記憶される。
【００５７】
このように、実際の投薬・検査時刻を含む実測値の実測値Ｎと、収集データの検査結果Ｏとを対応付けることにより、スケジュールからのズレを知ることができるので、検査における時間管理の適切さを容易に判断することができる。
【００５８】
なお、この発明は上述した実施例に限定されるものではなく、以下のように変形実施が可能である。
【００５９】
（１）上述した実施例では、トランスミッション・データとエミッション・データとを同時に計測したり別個に計測したりするポジトロンＣＴ装置を例に採って説明したが、同時・別個のいずれか一方だけを検査することができるポジトロンＣＴ装置であってもよい。
【００６０】
（２）患者ごとの検査スケジュールを行うだけで、実際の投薬・検査時刻を含む実測値と、ポジトロンＣＴ装置による収集データとの対応付けを行わなくてもよい。
【００６１】
（３）タイムチャート上の図形をマウス１７で移動させることにより、スケジュールを変更するのではなく、キーボード１９等から時刻を直接入力してスケジュールを変更するようにしてもよい。
【００６２】
（４）患者ごとのスケジュールが図形ＦＧによってタイムチャート上に表示され、かつ、現在時刻ラインＰＴがタイムチャート上を時間経過に応じて移動表示するのではなく、単に現在時刻を表示するだけでもよい。
【００６３】
（５）患者ごとのスケジュールが検査種別に応じた時間幅を有する図形によって表現するのではなく、文字列によって表すようにしてもよい。
【００６４】
（６）図３〜６、図８〜１１は、表示態様の一例であり、この発明はこれらの表示態様に限定されるものではない。
【００６５】
（７）本発明はポジトロンＣＴ装置に限定されるものではなく、ガンマカメラ等の核医学検査装置にも適用することが可能である。
【００６６】
【発明の効果】
以上の説明から明らかなように、この発明によれば、指示された患者ごとに検査の内容および検査順序の情報を取り込み、それらに応じて患者ごとに必要な投薬と検査が決まるので、検査種別に応じて患者ごとに設定された投薬から検査までの待ち時間を一定に維持した状態で、検査の内容および検査順序の情報に応じた投薬のタイミングと検査とが時間的に重複することを回避するようにスケジュールを決定する。これにより、核医学検査装置の稼働率を容易に向上させることができるとともに、待ち時間を検査ごとに一定化することができる。
【図面の簡単な説明】
【図１】実施例に係るポジトロンＣＴ装置の概略構成を示すブロック図である。
【図２】ポジトロンＣＴ装置の検査スケジュール作成プログラムにおける各機能の関連を示す模式図である。
【図３】予約カレンダーの内容をウィークビューで表示した状態を示す図である。
【図４】患者情報ファイルの患者情報の内容を表示した状態を示す図である。
【図５】患者情報ファイルのスタディ・シリーズ情報の内容を表示した状態を示す図である。
【図６】患者情報ファイルのスタディ・シリーズ情報に付随するパラメータ詳細設定情報の内容を表示した状態を示す図である。
【図７】指示された患者ごとの検査および検査順序でスケジューリングが行われる様子を示す模式図である。
【図８】予約カレンダーの内容をデイビューで表示した状態を示す図である。
【図９】予約カレンダーをデイビューで表示した状態において、予定を変更する様子を示す模式図であり、（ａ）はドラッグする様子を示し、（ｂ）はドラッグ後の様子を示す。
【図１０】予約カレンダーのデイビュー表示において、現在時刻が移動することを説明する図である。
【図１１】検査時に表示される収集パネルを示す図である。
【符号の説明】
１　…　ガントリ
３　…　マルチリング型検出器
５　…　ベッド
１１　…　データ収集部
１３　…　処理部（コンピュータ）
２１　…　収集時に常時用いる機能
Ｘ　…　機能呼出
Ａ　…　本日スケジュール
Ｐ　…　収集パネル
２３　…　検査予約に用いる機能
Ｆ　…　検査スケジュール表示／編集
２５　…　患者に関連する機能
Ｈ　…　患者情報
Ｊ　…　スタディ・シリーズ情報
Ｎ　…　実測値
Ｏ　…　検査結果
Ｋ　…　患者リスト
２７　…　予約カレンダー
２９　…　インフォメーション
ＦＧ　…　図形
３５〜３８　…　時間幅
３９〜４２　…　待ち時間
ＰＴ　…　現在時刻ライン
【図１】
2004102869.tif 000003
【図２】
2004102869.tif 000004
【図３】
2004102869.tif 000005
【図４】
2004102869.tif 000006
【図５】
2004102869.tif 000007
【図６】
2004102869.tif 000008
【図７】
2004102869.tif 000009
【図８】
2004102869.tif 000010
【図９】
2004102869.tif 000011
【図１０】
2004102869.tif 000012
【図１１】
2004102869.tif 000013